(57)【要約】【課題】複雑な光学系が不要で、前方のスクリーンと左右または前後のスクリーンとのパノラマ投射とが行える。【解決手段】投射レンズ２８の光源側直近にプリズム付き光学手段５０が設けられる。パノラマモードに設定すると、１フレームの画像が拡張される。このため、中心付近の投射光Ｐ１は、プリズム付き光学手段５０、投射レンズ２８を介して、真っ直ぐに進み、正面のスクリーン２９ａに投射され、左右の投射光Ｐ２及びＰ３は、プリズム付き光学手段５０により、斜めに屈曲され、左右のスクリーン２９ｂおよび２９ｃに投射される。これにより、正面のスクリーン２９ａに画像が投射されると共に、左右の拡張部分が、左右のスクリーン２９ｂおよび２９ｃに投射されるような、パノラマ映写が実現できる。【選択図】図４
2009217019.tif 000002
【特許請求の範囲】
【請求項１】
投射映像を上下および左右の少なくとも一方に拡張して投影するプロジェクタであって、
投射レンズの光源側直近に、投射映像光の四周縁を斜め外側に屈曲させるプリズム付の光学手段を設けたことを特徴とするプロジェクタ。
【請求項２】
投射映像を上下および左右の少なくとも一方に拡張して投影するプロジェクタであって、
投射レンズを、投射映像光の四周縁の上下および左右の少なくとも一方を斜め外側に屈曲させる特殊レンズで構成したことを特徴とするプロジェクタ。
【請求項３】
投射映像を上下および左右の少なくとも一方に拡張して投影するプロジェクタであって、
前記投射映像を生成する画像形成パネルが、方形の主パネル部と、主パネル部の上下両端から斜め外向きに延在する上下拡張パネル部、および主パネル部の左右両端から斜め外向きに延在する左右拡張パネル部の少なくとも一方と、を備えたことを特徴とするプロジェクタ。
【発明の詳細な説明】
【技術分野】
【０００１】
本発明は、動画像や静止画像をスクリーン上に投影するプロジェクタに関するものである。
【背景技術】
【０００２】
近年、仮想空間画像やシミュレーション画像を形成するために、三次元的にスクリーンを配置して、パノラマ的な画像を投射して、よりリアルで臨場感のある画像の楽しみたいという要望がある。すなわち、投射レンズの前方のスクリーンに加えて、前方のスクリーンに対して内側を向くように、左右または前後にスクリーンを配置する。そして、投射画面を左右または前後に拡大し、前方のスクリーンに加えて、左右または前後のスクリーンに画像を投射する。これにより、よりリアルで臨場感のある画像が投射できる。この種のパノラマ画像をプロジェクタで再現するものとしては、例えば特許文献１に示されるものが提案されている。
【０００３】
また、このように、前方のスクリーンと、左右または前後のスクリーンとにパノラマ画像を投射する場合、前方のスクリーンに画像を投射するプロジェクタと、左右または前後のスクリーンに画像を投射するプロジェクタとをそれぞれ用意することが考えられる。複数のプロジェクタからの画面を連続的に表示させるための技術としては、特許文献２に示されているものが提案されている。
【特許文献１】特開２００７−２１８９４５号公報
【特許文献２】特開２００７−２２６１９４号公報
【発明の開示】
【発明が解決しようとする課題】
【０００４】
しかしながら、特許文献１に示されているものは、室内の中心にプロジェクタを設置し、３６０度のパノラマ画像を表示するものであり、複雑な光学系が必要であり、且つ円形のスクリーンが必要である。また、特許文献１に示されるものでは、通常の前方のスクリーンへの通常の投射と、前方のスクリーンと左右又は前後のスクリーンとのパノラマ投射とを簡単に切り替えることができない。一方、上述のように、前方のスクリーンに画像を投射するプロジェクタと、左右または前後のスクリーンに画像を投射するプロジェクタとをそれぞれ用意するものでは、大がかりな設置場所が必要になり、コストアップになると共に、特許文献２に示されるように、各プロジェクタの画面が連続した画面となるように、様々な調整が必要になる。
【０００５】
本発明は、複雑な光学系が不要で、前方のスクリーンと左右又は前後のスクリーンとのパノラマ投射とが行えると共に、通常の前方のスクリーンへの通常の投射と、前方のスクリーンと左右または前後のスクリーンとのパノラマ投射とを簡単に切り替えることができるプロジェクタを提供することを課題としている。
【課題を解決するための手段】
【０００６】
本発明のプロジェクタは、投射映像を上下および左右の少なくとも一方に拡張して投影するプロジェクタであって、投射レンズの光源側直近に、投射映像光の四周縁を斜め外側に屈曲させるプリズム付の光学手段を設けたことを特徴とする。
【０００７】
この構成によれば、プリズム付の光学手段により、正面のスクリーンと、左右または上下のスクリーンとに、左右または上下に拡張した画面を投射して、パノラマ画像を映し出すことができる。すなわち、簡単な光学系により、パノラマ画像を映し出すことができる。
【０００８】
本発明の他のプロジェクタは、投射映像を上下および左右の少なくとも一方に拡張して投影するプロジェクタであって、投射レンズを、投射映像光の四周縁の上下および左右の少なくとも一方を斜め外側に屈曲させる特殊レンズで構成したことを特徴とする。
【０００９】
この構成によれば、投射映像光の四周縁の上下および左右の少なくとも一方を斜め外側に屈曲させる特殊レンズにより、正面のスクリーンと、左右または上下のスクリーンとに、左右または上下に拡張した画面を投射して、パノラマ画像を映し出すことができる。すなわち、簡単な光学系により、パノラマ画像を映し出すことができる。
【００１０】
本発明の他のプロジェクタは、投射映像を上下および左右の少なくとも一方に拡張して投影するプロジェクタであって、前記投射映像を生成する画像形成パネルが、方形の主パネル部と、主パネル部の上下両端から斜め外向きに延在する上下拡張パネル部、および主パネル部の左右両端から斜め外向きに延在する左右拡張パネル部の少なくとも一方とを備えたことを特徴とする。
【００１１】
この構成によれば、方形の主パネル部と、主パネル部の上下両端から斜め外向きに延在する上下拡張パネル部、および主パネル部の左右両端から斜め外向きに延在する左右拡張パネル部の少なくとも一方とを備えた前記投射映像を生成する画像形成パネルにより、歪み補正を殆ど行わずに、正面のスクリーンと、左右または上下のスクリーンとに、左右または上下に拡張した画面を投射して、パノラマ画像を映し出すことができる。
【発明を実施するための最良の形態】
【００１２】
以下、本発明の実施形態のプロジェクタについて図面を参照しながら説明する。
【００１３】
＜第１実施形態＞
図１は、本発明の第１実施形態のプロジェクタの全体構成を示すブロック図である。図１において、システムコントローラ１１は、装置全体の制御を行うものであり、システムコントローラ１１に対して、ＦＲＯＭ（Flash Read Only Memory）１２およびＲＡＭ（Random Access Memory）１３が設けられている。システムコントローラ１１は、ＣＰＵ（Central Processing Unit）等で構成される。ＦＲＯＭ１２には、制御プログラムの他、各種の設定値が保存され、またＲＡＭ１３には、処理の実行で必要な一時データが読み出し／書き込みされる。
【００１４】
システムコントローラ１１には、入力部１４から入力が与えられ、入力部１４は、ユーザからの操作の入力を受け付ける複数のキーなどにより構成されている。また、システムコントローラ１１には、受光部１５を介して、リモートコントローラ１６からのコマンド信号が与えられる。さらに、システムコントローラ１１には、通信部１７が接続されており、システムコントローラ１１は、この通信部１７を介して、外部の機器との間でデータのやり取りを行うと共に、外部の機器との連携操作を行う。また、システムコントローラ１１には、各種の設定状態や警告表示を行うためのＬＥＤ(Light Emitting Diode)表示部１８が接続されている。
【００１５】
第１実施形態において、入力部１４およびリモートコントローラ１６には、通常映写モードとパノラマ映写モードとを切替え設定するための映写モード設定キーが、設けられている。通常映写モードは、正面に置かれたスクリーン２９ａに画像を投射するものであり、パノラマ映写モードは、正面のスクリーン２９ａと共に、左右または前後のスクリーン２９ｂ，２９ｃに拡張した画像を投射するものである。
【００１６】
光学ユニット２０は、入力ビデオ信号に基づく映像を投射するための光学系を構成している。光学ユニット２０は、光源となるランプ２１と、レンズ２３と、ダイクロイックミラー２４ａ、２４ｂ、２４ｃと、ミラー２５ａ、２５ｂと、液晶パネル２６ａ、２６ｂ、２６ｃと、合成プリズム２７と、投射レンズ２８と、を備えている。更に、第１実施形態においては、パノラマ映写モードを実現するために、投射レンズ２８の光源側の直近に、プリズム付き光学手段５０が設けられている。プリズム付き光学手段５０は、左右にプリズム５１ａおよび５１ｂを有し、左右の投射映像光を斜め外側方向に屈曲させる（図４参照）。
【００１７】
ランプ２１は、例えばメタルハライドランプであり、ランプ２１には、ランプ制御部２２から点灯駆動信号が送られる。これにより、ランプ２１は、システムコントローラ１１の制御の基に、白色光を照射する。ランプ２１からの光は、レンズ２３を透過して出射される。ランプ２１からの光のうち赤色の成分は、Ｒ反射ダイクロイックミラー２４ａで反射され、ミラー２５ａを介して、液晶パネル２６ａに照射される。同様に、ランプ２１からの光のうち緑色の成分は、Ｇ反射ダイクロイックミラー２４ｂで反射され、液晶パネル２６ｂに照射される。更に、ランプ２１からの光のうち青色の成分は、Ｂ反射ダイクロイックミラー２４ｃで反射され、ミラー２５ｂを介して、液晶パネル２６ｃに照射される。液晶パネル２６ａ、２６ｂ、２６ｃは、それぞれ、Ｒ（赤）、Ｇ（緑）、Ｂ（青）の各色の像を形成するためのものであり、各液晶パネル２６ａ、２６ｂ、２６ｃには、液晶コントローラ４８から、Ｒ、Ｇ、Ｂ各色のビデオ信号が供給される。そして、液晶パネル２６ａ、２６ｂ、２６ｃの各画素の透過率は、液晶コントローラ４８からの各色のビデオ信号により変化する。
【００１８】
投射レンズ２８のレンズ位置は、レンズ駆動モータ３０により調整可能に構成されている。レンズ駆動部３１には、システムコントローラ１１から駆動信号が供給され、レンズ駆動モータ３０は、この駆動信号により、システムコントローラ１１の制御の基に、駆動される。
【００１９】
ソース信号入力部４１には、コンポジットビデオ信号、Ｓビデオ信号、コンポーネントビデオ信号、アナログＲＧＢ信号、ディジタルＲＧＢ信号等、複数種類のビデオ入力端子が配列されている。システムコントローラ１１からのソース切り替え信号により、ソース信号入力部４１に入力された各種のビデオ信号の中から、所望の信号が選択される。選択されたビデオ信号は、入力映像変換部４２に送られる。
【００２０】
入力映像変換部４２は、アナログの入力信号をディジタル化するＡ／Ｄ(Analog to Digital)変換部や、コンポジットカラービデオ信号からＲＧＢコンポーネントカラービデオ信号をデコードするデコーダ等を備えており、ソース信号入力部４１から送られてきた各種のビデオ信号を、所定の形式、例えばディジタルＲＧＢ信号に変換する。入力映像変換部４２からのビデオ信号は、イメージプロセッサ４５に送られる。
【００２１】
イメージプロセッサ４５は、入力ビデオ信号に対して、液晶パネル２６ａ、２６ｂ、２６ｃの画素数に応じたスケーリング処理を行う。また、イメージプロセッサ４５は、台形歪み等を補正するためのキーストーン補正を行う。イメージプロセッサ４５に対して、フレームメモリ４６が設けられており、スケーリング処理やキーストーン補正処理は、フレームメモリ４６を用いて行われる。また、イメージプロセッサ４５において、入力ビデオ信号に対して、液晶の面ムラ補正や、ガンマ補正処理等が行われる。
【００２２】
さらに、本発明の第１実施形態においては、イメージプロセッサ４５は、パノラマ映写モードの場合の補正処理を行っている。すなわち、フレームメモリ４６には、図２に示すように、通常の画面に対応するメモリ領域Ｍ１と共に、左右の拡張メモリ領域Ｍ２およびＭ３と、上下の拡張メモリ領域Ｍ４およびＭ５が設けられる。また、液晶パネル２６ａ、２６ｂ、２６ｃの画素数は、メモリ領域Ｍ１と、左右の拡張メモリ領域Ｍ２およびＭ３と、上下の拡張メモリ領域Ｍ４およびＭ５とを全て含めたメモリ領域に対応している。
【００２３】
通常映写モードでは、図３（Ａ）に示すように、通常の画面に対応するメモリ領域Ｍ１の範囲内で、キーストーン補正が行われる。これに対して、パノラマ映写モードでは、図３（Ｂ）に示すように、メモリ領域Ｍ１と、左右の拡張メモリ領域Ｍ２およびＭ３と、上下の拡張メモリ領域Ｍ４およびＭ５とを全て含めたメモリ領域が用いられる。この例では、１フレームの画像が左右の拡張メモリ領域Ｍ２およびＭ３を含むように拡張される。そして、左右に拡張した画像の上下方向のひずみを補正するように、上下のメモリ領域Ｍ４およびＭ５を含めて、パノラマ映像補正値が設定される。
【００２４】
図１において、ＯＳＤ（On Screen Display）発生部４７は、システムコントローラ１１からの制御の基に、各種の表示信号を生成する。この表示信号は、イメージプロセッサ４５に送られ、投射するビデオ信号に合成される。イメージプロセッサ４５からの出力信号は、液晶コントローラ４８に送られる。液晶コントローラ４８は、液晶パネル２６ａ、２６ｂ、２６ｃを駆動するための各種のタイミング信号を生成する。また、液晶コントローラ４８は、ＲＧＢ各色のビデオ信号を各画素毎にＤ／Ａ変換し、交流駆動を行うために、正極性のビデオ信号と負極性のビデオ信号を生成する。液晶コントローラ４８からの各色のビデオ信号は、液晶パネル２６ａ、２６ｂ、２６ｃにそれぞれ供給される。
【００２５】
前述したように、ランプ２１からの光のうち、赤色の成分は、Ｒ反射ダイクロイックミラー２４ａ、ミラー２５ａを介して、液晶パネル２６ａに照射され、緑色の成分は、Ｇ反射ダイクロイックミラー２４ｂを介して、液晶パネル２６ｂに照射され、青色の成分は、Ｂ反射ダイクロイックミラー２４ｃ、ミラー２５ｂを介して、液晶パネル２６ｃに照射される。そして、各色の液晶パネル２６ａ、２６ｂ、２６ｃの通過光は、合成プリズム２７で合成され、入力ビデオ信号に基づく光画像が形成される。この光画像は、プリズム付き光学手段５０、投射レンズ２８を介して、正面のスクリーン２９ａ、左右のスクリーン２９ｂおよび２９ｃに投射される。
【００２６】
前述したように、本発明の第１実施形態のプロジェクタでは、通常映写モードとパノラマ映写とが設定できる。図４（Ａ）および図４（Ｂ）は、本発明の第１実施形態において通常映写モードに設定した場合とパノラマ映写モードに設定した場合の光学像の形成を説明するものである。
【００２７】
図４（Ａ）および図４（Ｂ）に示すように、第１実施形態のプロジェクタでは、その正面に、スクリーン２９ａが置かれ、左右にスクリーン２９ｂおよび２９ｃが置かれる。左右のスクリーン２９ｂおよび２９ｃは、正面のスクリーン２９ａに対して開くように、角度をもって配置されている。例えば、スクリーン２９ａが正面の壁に置かれるとすると、スクリーン２９ｂおよび２９ｃを左右の壁面に配置される。
【００２８】
通常映写モードに設定すると、図３（Ａ）に示したように、通常の画面に対応するメモリ領域Ｍ１の範囲内で、キーストーン補正が行われる。したがって、この場合、図４（Ａ）に示すように、中心付近の投射光Ｐ１のみが、プリズム付き光学手段５０、投射レンズ２８を介して、真っ直ぐに進み、正面のスクリーン２９ａに投射される。これにより、図５（Ａ）に示すように、通常映写モードでは、正面のスクリーン２９ａにのみ、その画像が投射される。
【００２９】
これに対して、パノラマモードに設定すると、図３（Ｂ）に示したように、メモリ領域Ｍ１と、左右の拡張メモリ領域Ｍ２およびＭ３と、上下の拡張メモリ領域Ｍ４およびＭ５とを全て含めたメモリ領域が用いられ、１フレームの画像が左右の拡張メモリ領域Ｍ２およびＭ３を含むように拡張される。このため、図４（Ｂ）に示すように、中心付近の投射光Ｐ１は、プリズム付き光学手段５０、投射レンズ２８を介して、真っ直ぐに進み、正面のスクリーン２９ａに投射される。左右の投射光Ｐ２およびＰ３は、プリズム付き光学手段５０により、斜めに屈曲され、左右のスクリーン２９ｂおよび２９ｃに投射される。
【００３０】
なお、前述したように、パノラマモードでは、左右に拡張した画像のひずみ補正を行っている。このため、左右のスクリーン２９ｂおよび２９ｃにも、歪みのない画像が投射できる。これにより、図５（Ｂ）に示すように、正面のスクリーン２９ａと、左右のスクリーン２９ｂ、２９ｃとに、パノラマ映像を投射することができる。
【００３１】
以上説明したように、本発明の第１実施形態では、投射レンズ２８の光源側直近にプリズム付き光学手段５０が設けられる。これにより、正面のスクリーン２９ａに画像が投射されると共に、左右の拡張部分が、左右のスクリーン２９ｂ及び２９ｃに投射されるような、パノラマ映写を実現することができる。
【００３２】
図６は、本発明の第１実施形態において、通常映写モードとパノラマ映写モードを設定するときのシステムコントローラ１１での処理を示すフローチャートである。前述したように、第１実施形態においては、ＦＲＯＭ１２が設けられており、このＦＲＯＭ１２には、制御プログラムの他、各種の設定値が保存されている。この設定値としては、図３（Ａ）に示したような通常映写モードのときのキーストーン補正値と、図３（Ｂ）に示したようなパノラマ映写モードのときのパノラマ映像補正値とが含まれている。
【００３３】
図６において、電源がオンされると、システムコントローラ１１は、ＦＲＯＭ１２からキーストーン補正値を読み出し（ステップＳ１）、通常映写モードに設定する（ステップＳ２）。そして、システムコントローラ１１は、映写モード設定キーが押されたかどうかを判断し（ステップＳ３）、映写モード設定キーが押されていなければ、ステップＳ２にリターンし、通常映写モードに維持する。  ステップＳ３で、映写モード設定キーが押されたと判断されたら、システムコントローラ１１は、通常映写モードに設定されたか、パノラマ映写モードに設定されたかを判断する（ステップＳ４）。ここで、通常映写モードに設定された場合には、ステップＳ１にリターンし、再び、通常映写モードとなる。
【００３４】
ステップＳ４で、パノラマ映写モードに設定された場合には、システムコントローラ１１は、ＦＲＯＭ１２からパノラマ映像補正値を読み出し（ステップＳ５）、パノラマ映写モードに設定する（ステップＳ６）。そして、システムコントローラ１１は、映写モード設定キーが押されたかどうかを判断し（ステップＳ７）、映写モード設定キーが押されていなければ、ステップＳ６にリターンし、パノラマ撮影モードに維持する。ステップＳ７で、映写モード設定キーが押されたと判断されたら、システムコントローラ１１は、通常映写モードに設定されたか、パノラマ映写モードに設定されたかを判断する（ステップＳ８）。ここで、通常映写モードに設定された場合には、ステップＳ１に行き、キーストーン補正値を読み出し、ステップＳ２で通常映写モードとなる。パノラマ映写モードに設定された場合には、ステップＳ５に行き、再び、パノラマ映写モードとなる。
【００３５】
以上のように、本発明の第１実施形態では、映写モード設定キーの操作により、通常映写モードとパノラマ映写モードとを設定することができる。なお、図６に示した処理では、パノラマ映写モードにおいて、画面の大きさを１つに設定しているが、画面の大きさを自在に設定できるようにしてもよい。例えば、図７に示すような設定画面を写し出し、矢印で示す部分をドラッグさせて、パノラマ映写モードのときの画面の大きさを設定することが考えられる。
【００３６】
また、上述の説明では、パノラマ映写モードでは、左右に拡張した画像のパノラマ映写を行っているが、同様にして、上下に拡張した画像のパノラマ映写を行うことも可能である。かかる場合には、プリズム付き光学手段５０として、上下の周縁に２つのプリズムを有し、上下の投射映像光を斜め外側方向に屈曲させるものが用いられる。更に、上下と左右とに拡張した画像を投影することもできる。この場合には、プリズム付き光学手段５０として、上下左右の周縁に４つのプリズムを有し、上下左右の投射映像光を斜め外側方向に屈曲させるものが用いられる。
【００３７】
＜第２実施形態＞
次に、本発明の第２実施形態について説明する。図８は、本発明の第２実施形態のプロジェクタの光学系を示すものである。この実施形態では、投射映像光の周縁を斜めに屈曲させる特殊レンズ１５０を投射レンズ２８の光源側の直近に配置して、パノラマ映写を実現している。投射レンズ２８は、通常、３〜４枚のレンズアレイで構成されているが、ここでは、特殊レンズ１５０は、投射レンズ２８のレンズアレイの一枚として構成されている。
【００３８】
この場合、中心付近の投射光Ｐ１１は、特殊レンズ１５０、投射レンズ２８を介して、真っ直ぐに進み、正面のスクリーン２９ａに投射される。これに対して、左右の投射光Ｐ１２およびＰ１３は、特殊レンズ１５０により、斜めに屈曲され、左右のスクリーン２９ｂおよび２９ｃに投射される。他の構成については、第１実施形態と同様であり、その説明を省略する。
【００３９】
＜第３実施形態＞
次に、本発明の第３実施形態について説明する。図９は、本発明の第３実施形態のプロジェクタの液晶パネルの構成を示すものである。この実施形態では、方形の主パネル部１３１と、方形の主パネル部１３１の両端から斜め方向に外向きに延在する左右拡張パネル１３２ａおよび１３２ｂからなる液晶パネル１２６ａ、１２６ｂ、１２６ｃを用い、この液晶パネル１２６ａ、１２６ｂ、１２６ｃを合成プリズム１２７を囲んで配置するようにしている。そして、パノラマ映写モードでは、主パネル部１３１は、正面のスクリーン２９ａに投射する画像を形成し、左右拡張パネル１３２ａおよび１３２ｂは、左右のスクリーン２９ｂおよび２９ｃに投射する画像を形成する。
【００４０】
この場合、左右拡張パネル１３２ａおよび１３２ｂが主パネル部１３１の両端から斜め方向に外向きに配置されている。このようにすると、左右拡張パネル１３２ａおよび１３２ｂを通過した光像は、主パネル部１３１を通過した光像に対して歪むことになる。この左右拡張パネル１３２ａおよび１３２ｂを通過した光像の歪みを、左右拡張パネル１３２ａおよび１３２ｂに投射する際の画像の歪みと反対方向になるようにすれば、歪みがキャンセルされる。このため、パノラマ映写モードでのパノラマ映像補正値が殆ど不要になる。パノラマ映写モードでのパノラマ映像補正値が殆ど不要になれば、フレームメモリ４６のメモリ容量を小さくすることができ、コストダウンおよび処理速度の向上を図ることができる。
【００４１】
なお、上下に拡張した画像のパノラマ映写を行う場合には、液晶パネル１２６ａ、１２６ｂ、１２６ｃを９０度回転させればよい。また、上下と左右とに拡張したパノラマ映写を行うためには、方形の主パネル部１３１の左右両端から斜め方向に外向きに延在する２つの左右拡張パネル１３２ａおよび１３２ｂの他に、上下両端から斜め方向に外向きに延在するさらに２つの左右拡張パネルを設ければよい。
【００４２】
本発明は、上述した実施形態に限定されるものではなく、この発明の要旨を逸脱しない範囲内で様々な変形や応用が可能である。例えば、上述の実施形態では、液晶プロジェクタの構成としているが、本発明は、ＤＭＤ（Digital Micromirror Device）素子を用いたＤＬＰ（Digital Light Processing）方式のプロジェクタにも同様に適用することができる。
【図面の簡単な説明】
【００４３】
【図１】本発明の第１実施形態のプロジェクタの内部構成を示すブロック図である。
【図２】第１実施形態のプロジェクタにおけるフレームメモリの説明図である。
【図３】第１実施形態のプロジェクタにおける通常映写モードのときとパノラマ映写モードのときのメモリ領域の説明図である。
【図４】第１実施形態のプロジェクタにおけるプリズム付き光学手段の説明図である。
【図５】第１実施形態のプロジェクタにおける通常映写モードのときとパノラマ映写モードのときの映写画面の説明図である。
【図６】第１実施形態のプロジェクタの通常映写モードとパノラマ映写モードとの設定の説明に用いるフローチャートである。
【図７】パノラマ映写モードでの画面設定の説明図である。
【図８】第２実施形態のプロジェクタにおける特殊レンズの説明図である。
【図９】第３実施形態のプロジェクタにおける液晶パネルの説明図である。
【符号の説明】
【００４４】
１１：システムコントローラ  １４：入力部  １５：受光部  １６：リモートコントローラ  ２０：光学ユニット  ２１：ランプ  ２６ａ〜２６ｃ：液晶パネル  ２８：投射レンズ  ２９ａ〜２９ｃ：スクリーン  ４５：イメージプロセッサ  ４６：フレームメモリ  ５０：プリズム付き光学手段  １２６ａ〜１２６ｃ：液晶パネル  １２７：合成プリズム  １３１：主パネル部  １３２ａ，１３２ｂ：拡張パネル  １５０：特殊レンズ
【図１】
2009217019.tif 000003
【図２】
2009217019.tif 000004
【図３】
2009217019.tif 000005
【図４】
2009217019.tif 000006
【図５】
2009217019.tif 000007
【図６】
2009217019.tif 000008
【図７】
2009217019.tif 000009
【図８】
2009217019.tif 000010
【図９】
2009217019.tif 000011